(57)【要約】【課題】  立体的な曲面を有する法面を形成する擁壁を自由に構築することができ、更に嵩高にならず、比較的軽量な擁壁ブロックを使用すると共に、大量の砕石や栗石等を使用せず、土木廃材や産業廃棄物等を有効に活用した、コスト低減効果の大きい擁壁構造を提供する。【解決手段】  基礎地盤上に擁壁ブロックを段積みして構築する擁壁構造であって、中空円柱状の形状を有する擁壁ブロックと、擁壁ブロックの裏面側と法面の間、又は擁壁ブロックの中に配置された土嚢ブロックと、擁壁ブロックの内部空間及び土嚢ブロックの外周空間であって、土嚢ブロックと擁壁ブロックと法面により画成される空間に充填された中詰材とからなる構成の擁壁構造とした。【選択図】図６
2016003441.tif 000002
【特許請求の範囲】
【請求項１】
基礎地盤上に擁壁ブロックを段積みし、あるいは１段のみ配置して構築する擁壁構造であって、
中空円柱状の形状を有する擁壁ブロックと、
擁壁ブロックの裏面側と法面の間、又は擁壁ブロックの中に配置された土嚢ブロックと、
擁壁ブロックの内部空間及び土嚢ブロックの外周空間であって、土嚢ブロックと擁壁ブロックと法面により画成される空間に充填された中詰材とからなる擁壁構造。
【請求項２】
請求項１に記載された擁壁構造において、
前記擁壁ブロックの前面側上部及び/又は前記擁壁ブロックの裏面側下部には突起部が設けられ、擁壁ブロックを段積みした場合に、上側の擁壁ブロックの前面側下部が下側擁壁ブロックの突起部に噛合い、及び/又は下側の擁壁ブロックの裏面側上部が上側擁壁ブロックの突起部に噛合ようになっていることを特徴とする擁壁構造。
【請求項３】
請求項１又は２に記載された擁壁構造において、
段積みされた擁壁ブロックの各段における擁壁ブロック、又は１段のみ配置された擁壁ブロックが、擁壁厚さ方向に複数列配置されていることを特徴とする擁壁構造。
【請求項４】
請求項３に記載された擁壁構造において、各段における擁壁ブロックが千鳥状に配置されていることを特徴とする擁壁構造。
【請求項５】
請求項１乃至４のいずれかに記載された擁壁構造において、
段積みされた擁壁ブロックの各段における擁壁ブロック、又は１段のみ配置された擁壁ブロックが、互いに隣接する擁壁ブロック同士が接触して配置されていることを特徴とする擁壁構造。
【請求項６】
請求項１乃至４のいずれかに記載された擁壁構造において、
段積みされた擁壁ブロックの各段における擁壁ブロック、又は１段のみ配置された擁壁ブロックが、互いに隣接する擁壁ブロック同士が隔離して配置されていることを特徴とする擁壁構造。
【請求項７】
請求項１乃至６のいずれかに記載された擁壁構造において、
前記土嚢ブロックは、１又は複数の角型土嚢ブロックからなることを特徴とする擁壁構造。
【請求項８】
請求項１乃至７のいずれかに記載された擁壁構造において、
前記基礎地盤が、複数の独楽型ブロックを埋設した強化地盤から構成されることを特徴とする擁壁構造。
【請求項９】
基礎地盤上に擁壁ブロックを段積みし、あるいは１段のみ配置して構築する擁壁構造であって、
中実円柱状の形状を有する擁壁ブロックと、
擁壁ブロックの裏面側と法面の間に配置された土嚢ブロックと、
土嚢ブロックの外周空間であって、土嚢ブロックと擁壁ブロックと法面により画成される空間に充填された中詰材とからなる擁壁構造。
【請求項１０】
請求項９に記載された擁壁構造において、
前記擁壁ブロックの前面側上部及び/又は前記擁壁ブロックの裏面側下部には突起部が設けられ、擁壁ブロックを段積みした場合に、上側の擁壁ブロックの前面側下部が下側擁壁ブロックの突起部に噛合い、及び/又は下側の擁壁ブロックの裏面側上部が上側擁壁ブロックの突起部に噛合ようになっていることを特徴とする擁壁構造。
【発明の詳細な説明】
【技術分野】
【０００１】
本発明は、道路工事、河川工事、宅地造成工事の土留擁壁や護岸の構築に使用される擁壁構造に関するものである。
【背景技術】
【０００２】
このような擁壁構造の例としては、基礎地盤上に配設した基礎部上にブロック３２を段積みして構築する構造物に係る先行技術がある。（特許文献１参照）
この先行技術における段積みブロック３２は、前壁３３及び後壁３４と、両前・後壁３３、３４を連結する連結体（左・右側壁３５、３６）とを具備し、上下方向に開口する四角形筒状に形成され、後壁３４は前壁３３の半分以下の高さに設定されている。  また、左・右側壁３５、３６の上部間には、滑動抵抗体４０が横架されている。
【０００３】
そして、ブロックを段積みして形成される各段の上下境界面位置に、下段ブロック側と上段ブロック側に跨がるよう滑動抵抗体４０が配置され、下段ブロックの前壁３３と同下段ブロック側の滑動抵抗体４０の部分との間に形成される空間に、拘束層形成材（胴込め材３１：  砕石、栗石等）を充填して下段側の前部拘束層を形成すると共に、同下段ブロック側の滑動抵抗体４０の部分と同下段ブロックの後壁ないしは構造物の背後に形成されている法面との間に形成される空間に、拘束層形成材（裏込め材１７）を充填して下段側の後部拘束層を形成するようになっている。
【０００４】
また、上段ブロックの前壁３３と同上段ブロック側の滑動抵抗体４０の部分との間に形成される空間に、拘束層形成材（胴込め材３１：  砕石、栗石等）を充填して上段側の前部拘束層を形成すると共に、同上段ブロック側の滑動抵抗体４０の部分と同上段ブロックの後壁３４との間に形成される空間に、拘束層形成材（胴込め材３１：  砕石、栗石等）を充填して上段側の後部拘束層を形成して、前記各段の上下境界面位置にて、上・下段の前部拘束層を上下方向に連続させると共に、上・下段の後部拘束層を上下方向に連続させて、上下方向に連続する前部拘束層と上下方向に連続する後部拘束層が、上記滑動抵抗体４０を介して反力(受働)を発揮することにより、上下境界面におけるブロックの滑動抵抗力を強化した擁壁ブロックの上下境界部構造を備えた擁壁構造としている。
【先行技術文献】
【特許文献】
【０００５】
【特許文献１】特開２０１１−２０２４９９号公報
【発明の概要】
【発明が解決しようとする課題】
【０００６】
前記特許文献１が開示する発明の擁壁構造においては、前壁３３、後壁３４、両前・後壁３３、３４を連結する連結体（左・右側壁３５、３６）、および左・右側壁３５、３６の上部間に配置された滑動抵抗体４０からなる擁壁ブロックは、横長の四角形枠状となっているため、平面的な法面を形成する擁壁を構築するのには都合がよくても、立体的な曲面を有する法面を形成する擁壁の構築には不向きであった。
【０００７】
また、前記特許文献１が開示する発明の擁壁ブロックは、嵩高であって、重量が重くなることから擁壁ブロックの単価が高価になると共に、擁壁施工現場における施工性が悪いという問題があった。
【０００８】
更に、前記特許文献１が開示する発明の擁壁構造においては、擁壁ブロックの内部に形成された空間、および擁壁ブロックと法面との間の空間には、胴込め材３１や裏込め材１７を充填する必要があることから、大量の砕石や栗石等が必要になると共に、擁壁施工現場において大量の砕石や栗石等を充填することが必要になり、施工性が悪いという問題があった。
【０００９】
本発明は、従来技術の係る問題に鑑みてなされたものであり、立体的な曲面を有する法面を形成する擁壁を自由に構築することができ、更に嵩高にならず、比較的軽量な擁壁ブロックを使用すると共に、大量の砕石や栗石等を使用せず、土木廃材や産業廃棄物等を有効に活用した、コスト低減効果の大きい擁壁構造を提供することを課題とするものである。
【課題を解決するための手段】
【００１０】
上述した課題を解決するため、第１の観点にかかる発明においては、基礎地盤上に擁壁ブロックを段積みし、あるいは１段のみ配置して構築する擁壁構造であって、中空円柱状の形状を有する擁壁ブロックと、擁壁ブロックの裏面側と法面の間、又は擁壁ブロックの中に配置された土嚢ブロックと、擁壁ブロックの内部空間及び土嚢ブロックの外周空間であって、土嚢ブロックと擁壁ブロックと法面により画成される空間に充填された中詰材とからなる構成の擁壁構造とした。
【００１１】
第２の観点にかかる発明においては、第１の観点にかかる発明の擁壁構造において、擁壁ブロックの前面側上部及び/又は擁壁ブロックの裏面側下部には突起部が設けられ、擁壁ブロックを段積みした場合に、上側の擁壁ブロックの前面側下部が下側擁壁ブロックの突起部に噛合い、及び/又は下側の擁壁ブロックの裏面側上部が上側擁壁ブロックの突起部に噛合ようになっている構成の擁壁構造とした。
【００１２】
第３の観点にかかる発明においては、第１又は第２の観点にかかる発明の擁壁構造において、段積みされた擁壁ブロックの各段における擁壁ブロック、又は１段のみ配置された擁壁ブロックが、擁壁厚さ方向に複数列配置されている構成の擁壁構造とした。
【００１３】
第４の観点にかかる発明においては、第３の観点にかかる発明の擁壁構造において、各段における擁壁ブロックが千鳥状に配置されている構成の擁壁構造とした。
【００１４】
第５の観点にかかる発明においては、第１乃至第４のいずれかの観点にかかる発明の擁壁構造において、段積みされた擁壁ブロックの各段における擁壁ブロック、又は１段のみ配置された擁壁ブロックが、互いに隣接する擁壁ブロック同士が接触して配置されている構成の擁壁構造とした。
【００１５】
第６の観点にかかる発明においては、第１乃至第４のいずれかの観点にかかる発明の擁壁構造において、段積みされた擁壁ブロックの各段における擁壁ブロック、又は１段のみ配置された擁壁ブロックが、互いに隣接する擁壁ブロック同士が隔離して配置されている構成の擁壁構造とした。
【００１６】
第７の観点にかかる発明においては、第１乃至第６のいずれかの観点にかかる発明の擁壁構造において、土嚢ブロックは、１又は複数の角型土嚢ブロックからなる構成の擁壁構造とした。
【００１７】
第８の観点にかかる発明においては、第１乃至第７のいずれかの観点にかかる発明の擁壁構造において、基礎地盤が、複数の独楽型ブロックを埋設した強化地盤から構成される構成の擁壁構造とした。
【００１８】
第９の観点にかかる発明においては、基礎地盤上に擁壁ブロックを段積みし、あるいは１段のみ配置して構築する擁壁構造において、中実円柱状の形状を有する擁壁ブロックと、擁壁ブロックの裏面側と法面の間に配置された土嚢ブロックと、土嚢ブロックの外周空間であって、土嚢ブロックと擁壁ブロックと法面により画成される空間に充填された中詰材とからなる擁壁構造とした。
【００１９】
第１０の観点にかかる発明においては、第９の観点にかかる発明の擁壁構造であって、擁壁ブロックの前面側上部及び/又は前記擁壁ブロックの裏面側下部には突起部が設けられ、擁壁ブロックを段積みした場合に、上側の擁壁ブロックの前面側下部が下側擁壁ブロックの突起部に噛合い、及び/又は下側の擁壁ブロックの裏面側上部が上側擁壁ブロックの突起部に噛合ようになっている構成の擁壁構造とした。
【発明の効果】
【００２０】
本発明によれば、例えば、中空円柱状の形状を有する擁壁ブロックと、擁壁ブロックの裏面側と法面の間、又は擁壁ブロックの中に配置された土嚢ブロックと、擁壁ブロックの内部空間及び土嚢ブロックの外周空間であって、土嚢ブロックと擁壁ブロックと法面により画成される空間に充填された中詰材とからなる構成の擁壁構造としたことにより、立体的な曲面を有する法面を形成する擁壁を自由に構築することができると共に、擁壁ブロック、あるいは擁壁壁面構造物の形状をシンプルにできると共に、嵩を小さくすることができ、また軽量化を図ることができるため、擁壁ブロック、あるいは擁壁壁面構造物の低コスト化と擁壁施工現場における施工性の向上を図ることができる。
【００２１】
また、本発明によれば、擁壁ブロックの裏面側と法面の間、又は擁壁ブロックの中に土嚢ブロックを配置すると共に、擁壁ブロックの内部空間及び土嚢ブロックの外周空間であって、土嚢ブロックと擁壁ブロックと法面により画成される空間に中詰材を充填する構成の擁壁構造としたため、砕石や栗石等から成る中詰材を減らすことができると共に、土嚢ブロックには土木廃材や産業廃棄物等を充填することができるため土木廃材や産業廃棄物等の有効活用に繋がり、中詰材のコスト低減と擁壁施工現場における施工性の向上を図ることができる。
また、砕石や栗石等から成る中詰材を土嚢ブロックの外周に配置する構成としているため、水抜きが容易であり、その結果擁壁構造の強度向上を図ることができる。
【図面の簡単な説明】
【００２２】
【図１】図１は、本発明に係る擁壁ブロックの１つの実施例を示したものである。
【図２】図２は、本発明に係る擁壁ブロックの中に土嚢ブロックが配置された実施例を示したものである。
【図３】図３は、本発明に係る擁壁ブロックの裏面側に土嚢ブロックが配置された実施例を示したものである。
【図４】図４(a)‐４(f)は、擁壁を構成する擁壁ブロックと土嚢ブロックの平面内の配置の実施例を例示したものである。
【図５】図５(a)−5(e)は、擁壁断面における擁壁ブロックと土嚢ブロックの配置の実施例を例示したものである。
【図６】図６は、本発明に係る擁壁構造の１つの実施例の鳥瞰図を示したものである。
【発明を実施するための形態】
【００２３】
以下、図面を用いて本発明の実施形態について説明する。  図１は、本発明に係る擁壁ブロック１０の１つの実施例を示したものであり、図２は、本発明に係る擁壁ブロック１０の中に土嚢ブロック２０が配置された実施例を示したものである。
更に、図３は、本発明に係る擁壁ブロック１０の裏面側に土嚢ブロック２０が配置された実施例を示したものである。
【００２４】
擁壁ブロック１０は、中空円柱状の形状を有し、直径(D)、高さ(L)、肉厚(T)等の寸法は特に限定されるものではない。
なお、本明細書において中空円柱状の形状とは、断面外周および断面内周が円に限定されるものではなく、楕円、５角形以上の多角形を含む概念であり、更に、円錐台や角錐台をも含む概念である。
【００２５】
擁壁ブロック１０は、コンクリートを使用して形成することができる。  使用するコンクリートとしては、透水性コンクリートおよび非透水性コンクリートのいずれであってもよい。
また、擁壁ブロック１０はコンクリート製に限定されるものではなく、防錆処理をした鉄等の金属製としたり、耐腐食性を備えた樹脂材料製、あるいは樹脂系複合材料製としても良い。  さらに、擁壁ブロック１０の構造を格子（グリッド）状構造、骨組み（フレーム、トラス）構造、あるいはメッシュ構造とすることもできる。  このような構造とすることにより、後述する中詰材３０の保持と水抜きの機能を果たすと共に、擁壁ブロック１０の内側に植栽を施すことも可能となる。
【００２６】
擁壁ブロック１０の前面側上部には図１に示すような突起部１１を設けるようにしても良い。  この突起部１１は、擁壁ブロック１０を段積みした場合に、上側の擁壁ブロック１０の前面側下部がこの突起部１１に噛合うことによって、上側の擁壁ブロック１０が土圧によって前方へ押し出されるのを防止することができる。
また、図示はしていないが、擁壁ブロック１０の裏面側下部に突起部１１を設けるようにしても良い。  このような突起部１１を設けることにより、上側の擁壁ブロック１０の裏面側下部に設けた突起部１１が下側擁壁ブロック１０の裏面側上部に噛合うことにより、上側の擁壁ブロック１０が土圧によって前方へ押し出されるのを防止することができる。
【００２７】
更に、上記突起部１１に代えて、擁壁ブロック１０の下面に、櫛の歯状の突起（図示せず）を設け、擁壁ブロック１０を段積みした場合に、擁壁ブロック１０が下側の中詰材３０と噛合うことにより、上側の擁壁ブロック１０が土圧によって前方へ押し出されるのを防止するようにしても良い。
ここで、前面側とは、最終的に完成した擁壁の表面側を意味し、裏面側とは、擁壁ブロックの法面側の面を意味するものである。
なお、擁壁ブロック１０をコンクリート製とした場合に、擁壁ブロック１０の胴部には、１又は複数の貫通孔を設けることにより、軽量化を図り、あるいは透水性を高めるようにしても良い。
【００２８】
土嚢ブロック２０は土嚢袋体２１に、土嚢中詰材２３を詰めたものである。本発明における土嚢袋体２１としては、合成樹脂繊維織布シートで製作した袋や、土嚢中詰材２３を収納保持し得る程度のメッシュを有する金網構造又は合成樹脂繊維製網構造の袋体が使用され、角形、球形、円筒形等の形状のものを使用することができ、大型角型の形状のものが特に好ましい。
土嚢袋体２１には、他の構造物に連結するための１又は複数個所の固定部２２が設けられている。  土嚢中詰材としては、土木廃材や産業廃棄物等を直接詰め込むこともできるし、土木廃材や産業廃棄物等を粉砕した後に詰め込むようにしても良い。  もちろん土木廃材や産業廃棄物等以外の土砂や砕石等の骨材、あるいは土壌を詰めることもできる。  土嚢中詰材２３に土木廃材や産業廃棄物等を詰め込むことにより、土木廃材や産業廃棄物等の有効利用を促進することができる。  また、土嚢中詰材２３に土壌を詰め込むことにより、後述するように、植栽の生育土壌として利用することも可能となる。
【００２９】
なお、図２、図３に示す実施形態においては、１つの擁壁ブロック１０に対して１つの土嚢ブロック２０を使用した構成として示しているが、これに限定されるものではなく、１つの擁壁ブロック１０に対して２つ以上の土嚢ブロック２０を使用するようにしても良い。  また、複数の擁壁ブロック１０に対して１つの土嚢ブロック２０を使用する構成とすることもできる。
【００３０】
なお、以上の説明においては、擁壁ブロック１０は、中空円柱状の形状を有しているとして説明してきたが、これに限定されるものではない。  擁壁ブロック１０は、中実円柱状の形状を有するようにしても良い。
【００３１】
図４(a)‐４(f)は、擁壁を構成する擁壁ブロック１０と土嚢ブロック２０の平面内の配置の実施例を例示したものである。
図４(a)は、同一サイズの擁壁ブロック１０を水平面上を法面４０に沿って一列に配置した擁壁構造を示したものであり、土嚢ブロック２０は擁壁ブロック１０の裏面側に配置されている。  隣り合う擁壁ブロック１０は互いに隣接して配置されている。  この場合、擁壁ブロック１０の内部、および擁壁ブロック１０、土嚢ブロック２０、そして法面４０により画成される空間には中詰材３０が充填されている。  この中詰材３０としては、砕石や栗石等が使用される。
【００３２】
図４(b)は、同一サイズの擁壁ブロック１０を水平面上を法面４０に沿って一列に配置した擁壁構造を示したものであり、土嚢ブロック２０は擁壁ブロック１０の裏面側に配置されている。  隣り合う擁壁ブロック１０は互いに離隔して配置されている。  この場合図４(a)と同様に、擁壁ブロック１０の内部、および擁壁ブロック１０、土嚢ブロック２０、そして法面４０により画成される空間には中詰材３０が充填されている。
【００３３】
図４(c)は、同一サイズの擁壁ブロック１０を水平面上を法面４０に沿って一列に配置した擁壁構造を示したものであり、土嚢ブロック２０は擁壁ブロックの中、および擁壁ブロック１０の裏面側に配置されている。  隣り合う擁壁ブロック１０は互いに接触して配置されている。  この場合、擁壁ブロック１０、土嚢ブロック２０、そして法面４０により画成される空間には中詰材３０が充填されている。
【００３４】
図４(d)は、同一サイズの擁壁ブロック１０を水平面上を法面４０に沿って二列に配置した擁壁構造を示したものであり、土嚢ブロック２０は擁壁ブロック１０の裏面側であって法面４０との間に配置されている。  隣り合う擁壁ブロック１０は互いに接触して配置されている。  この場合図４(a)と同様に、擁壁ブロック１０の内部、および擁壁ブロック１０、土嚢ブロック２０、そして法面４０により画成される空間には中詰材３０が充填されている。
【００３５】
図４(e)は、同一サイズの擁壁ブロック１０を水平面上を法面４０に沿って二列に千鳥状に配置した擁壁構造を示したものであり、土嚢ブロック２０は擁壁ブロック１０の裏面側であって法面４０との間に配置されている。  また隣り合う擁壁ブロック１０は互いに離隔して配置されている。  この場合図４(a)と同様に、擁壁ブロック１０の内部、および擁壁ブロック１０、土嚢ブロック２０、そして法面４０により画成される空間には中詰材３０が充填されている。土嚢ブロック２０と擁壁ブロック１０を機械的に固定した後、擁壁ブロック１０の裏面と、土嚢ブロック２０の外周面と、法面４０から画成される空間に中詰材３０を敷設する。  このとき、中詰材３０の上面を擁壁ブロック１０の上面に面一にするか、あるいは中詰材３０の上面を擁壁ブロック１０の上面よりわずかに低い位置で平坦になるようにする。
【００３６】
図４(f)は、サイズの異なる擁壁ブロック１０を水平面上を法面４０に沿って二列に配置した擁壁構造を示したものであり、土嚢ブロック２０は擁壁ブロック１０の裏面側であって法面４０との間に配置されている。  隣り合う擁壁ブロック１０は互いに接触して配置されている。  この場合図４(a)と同様に、擁壁ブロック１０の内部、および擁壁ブロック１０、土嚢ブロック２０、そして法面４０により画成される空間には中詰材３０が充填されている。
【００３７】
擁壁水平面内における擁壁ブロック１０、土嚢ブロック２０、中詰材３０の配置方法としては、上述した配置に限定されるものではなく、これ以外にも様々な配置方法が可能である。
【００３８】
図５(a)‐５(e)は、擁壁断面における擁壁ブロック１０と土嚢ブロック２０の配置の実施例を例示したものである。  図５(a)は、図４(a)に示す擁壁ブロック１０、土嚢ブロック２０、中詰材３０の平面内配置に対応した擁壁構造の縦断面図を示したものであって、擁壁ブロック１０の前面側上部に図１に示すような突起部１１を設けた場合の擁壁構造である。
【００３９】
図５(a)に示す擁壁構造を例にとって、以下にその施工方法を説明する。
まず、切土または盛土により設けた法面４０の下方に基礎地盤５０を設ける。
基礎地盤５０は、砕石等を敷き固めて水平に造成したものであって、擁壁構造の高さや傾斜角によってその厚さは適宜調整される。  このように水平に形成された基礎地盤５０上に、クレーン等を使用して１段目の擁壁ブロック１０が設置される。  次に、クレーン等を使用して擁壁ブロック１０の裏面側と法面４０の間に、クレーン等を使用して土嚢中詰材２３を詰めた土嚢ブロック２０を配置する。
【００４０】
擁壁ブロック１０および土嚢ブロック２０を配置した後、必要に応じて、隣り合う擁壁ブロック１０同士、隣り合う土嚢ブロック２０同士、および隣り合う擁壁ブロック１０と土嚢ブロック２０とを機械的に連結し、固定する。
【００４１】
土嚢ブロック２０、擁壁ブロック１０を機械的に連結し、固定した後、擁壁ブロック１０の内部、および擁壁ブロック１０、土嚢ブロック２０、そして法面４０から画成される空間に中詰材３０を敷き固める。
【００４２】
このようにして１段目の擁壁ブロック１０の段積みが終了した後、１段目の中詰材３０の上面に２段目以降の擁壁ブロック１０の段積みを順次繰り返すことによって擁壁構造が完成する。  なお、２段目以降の擁壁ブロック１０を段積みする場合、上側の擁壁ブロック１０の前面側下部が下側擁壁ブロック１０の突起部１１に噛合うようにして設置する。  このように上側の擁壁ブロック１０の前面側下部が下側擁壁ブロック１０の突起部１１に噛合うようにすることにより、上側の擁壁ブロック１０が土圧によって前方へ押し出されるのを防止することができる。
【００４３】
図５(b)は、図４(a)に示す擁壁ブロック１０、土嚢ブロック２０、中詰材３０の平面内配置に対応した擁壁構造の断面図を示したものであって、基礎地盤５０に複数の独楽型ブロック５１を埋設することにより、基礎地盤５０の強化を図った擁壁構造を示したものである。  このように、基礎地盤５０に独楽型ブロック５１を適用することにより、軟弱な地盤においても堅固な擁壁構造を構築することが可能となる。
【００４４】
図５(c)、図５(d)、図５(e)は、それぞれ図４(c)、図４(d)、図４(f)に示す擁壁ブロック１０、土嚢ブロック２０、中詰材３０の平面内配置に対応した擁壁構造の断面図を示したものであり、これらの擁壁構造の施工方法は、図５(a)の擁壁構造の施工方法に準じて行うことができる。
なお、図５に示す擁壁構造の断面図では、擁壁ブロック１０を段積みしたものを示したが、これに限定されるものではない。  例えば、擁壁ブロック１０を１段のみ平面内に配置した擁壁構造であっても良い。
【００４５】
図６は、本発明に係る擁壁構造の１つの実施例の鳥瞰図を示したものであって、図４(a)、図５(a)に示す擁壁構造の鳥瞰図を示したものである。
【００４６】
なお、以上説明した擁壁構造では、平面内に配置された複数の擁壁ブロックの内、隣接する擁壁ブロック１０、あるいは段積みされた上下方向に隣接した擁壁ブロック１０を互いに連結するようにしても良い。  このような隣接した擁壁ブロックを連結する方法としては、ボルト、ワイヤー等を利用して連結したり、その他の連結構造物（例えば、コンクリートブロックで形成した連結部材）を利用して連結することもできる。  また、隣接する擁壁ブロック１０を複数個まとめて一体化して形成するようにしても良い。
【符号の説明】
【００４７】
１０    擁壁ブロック
１１    突起部
２０    土嚢ブロック
２１    土嚢袋体
２２    固定部
２３    土嚢中詰材
３０    中詰材
４０    法面
５０    基礎地盤
５１    独楽型ブロック
【図１】
2016003441.tif 000003
【図２】
2016003441.tif 000004
【図３】
2016003441.tif 000005
【図４（ａ）】
2016003441.tif 000006
【図４（ｂ）】
2016003441.tif 000007
【図４（ｃ）】
2016003441.tif 000008
【図４（ｄ）】
2016003441.tif 000009
【図４（ｅ）】
2016003441.tif 000010
【図４（ｆ）】
2016003441.tif 000011
【図５（ａ）】
2016003441.tif 000012
【図５（ｂ）】
2016003441.tif 000013
【図５（ｃ）】
2016003441.tif 000014
【図５（ｄ）】
2016003441.tif 000015
【図５（ｅ）】
2016003441.tif 000016
【図６】
2016003441.tif 000017
【手続補正書】
【提出日】平成26年6月24日(2014.6.24)
【手続補正１】
【補正対象書類名】明細書
【補正対象項目名】００２２
【補正方法】変更
【補正の内容】
【００２２】
【図１】図１は、本発明に係る擁壁ブロックの１つの実施例を示したものである。
【図２】図２は、本発明に係る擁壁ブロックの中に土嚢ブロックが配置された実施例を示したものである。
【図３】図３は、本発明に係る擁壁ブロックの裏面側に土嚢ブロックが配置された実施例を示したものである。
【図４（ａ）】図４(a)は、擁壁を構成する擁壁ブロックと土嚢ブロックの平面内の配置の実施例を例示したものである。
【図４（ｂ）】図４(b)は、擁壁を構成する擁壁ブロックと土嚢ブロックの平面内の配置の実施例を例示したものである。
【図４（ｃ）】図４(c)は、擁壁を構成する擁壁ブロックと土嚢ブロックの平面内の配置の実施例を例示したものである。
【図４（ｄ）】図４(d)は、擁壁を構成する擁壁ブロックと土嚢ブロックの平面内の配置の実施例を例示したものである。
【図４（ｅ）】図４(e)は、擁壁を構成する擁壁ブロックと土嚢ブロックの平面内の配置の実施例を例示したものである。
【図４（ｆ）】図４(f)は、擁壁を構成する擁壁ブロックと土嚢ブロックの平面内の配置の実施例を例示したものである。
【図５（ａ）】図５(a)は、擁壁断面における擁壁ブロックと土嚢ブロックの配置の実施例を例示したものである。
【図５（ｂ）】図５(b)は、擁壁断面における擁壁ブロックと土嚢ブロックの配置の実施例を例示したものである。
【図５（ｃ）】図５(c)は、擁壁断面における擁壁ブロックと土嚢ブロックの配置の実施例を例示したものである。
【図５（ｄ）】図５(d)は、擁壁断面における擁壁ブロックと土嚢ブロックの配置の実施例を例示したものである。
【図５（ｅ）】図５(e)は、擁壁断面における擁壁ブロックと土嚢ブロックの配置の実施例を例示したものである。
【図６】図６は、本発明に係る擁壁構造の１つの実施例の鳥瞰図を示したものである。